(57)【要約】【課題】作業現場でのリアルタイムに精確な眼精疲労度の判定を行うことができる携帯型遠近知覚測定装置を提供する。【解決手段】携帯型遠近知覚測定装置において、接眼部、刺激発生部と距離・反応時間計測部とを有する本体１と、この本体１の側部に配置される応答スイッチ部２１と、前記本体１及び応答スイッチ部２１に接続される電源と、この電源に接続されるとともに、前記本体１からの情報と応答スイッチ部２１からの情報を処理する制御装置２４とからなる。【選択図】図１
2006158434.tif 000002
【特許請求の範囲】
【請求項１】
（ａ）接眼部、刺激発生部と距離・反応時間計測部とを有する本体と、
（ｂ）該本体の側部に配置される応答部と、
（ｃ）本体及び応答部に接続される電源と、
（ｄ）該電源に接続されるとともに、前記本体からの情報と応答部からの情報を処理する制御装置とからなる携帯型遠近知覚測定装置。
【請求項２】
請求項１記載の携帯型遠近知覚測定装置において、前記刺激発生部は近点視標装置と遠点視標装置とを具備することを特徴とする携帯型遠近知覚測定装置。
【請求項３】
請求項２記載の携帯型遠近知覚測定装置において、前記近点視標装置と遠点視標装置はそれぞれ照明用ランプを具備することを特徴とする携帯型遠近知覚測定装置。
【請求項４】
請求項１記載の携帯型遠近知覚測定装置において、前記距離・反応時間計測部はエンドレスベルト上に固定される近点視標装置と遠点視標装置との移動距離と、視標の近点と遠点に関する反応時間を計測することを特徴とする携帯型遠近知覚測定装置。
【請求項５】
請求項１記載の携帯型遠近知覚測定装置において、前記遠点視標装置はハーフミラーと全反射ミラーと屈折率変更レンズを介し、前記近点視標装置と平行して配置されることを特徴とする携帯型遠近知覚測定装置。
【請求項６】
請求項４記載の携帯型遠近知覚測定装置において、前記エンドレスベルトを速度が制御可能なモータによって駆動することを特徴とする携帯型遠近知覚測定装置。
【請求項７】
請求項１記載の携帯型遠近知覚測定装置において、前記応答部は本体の左又は右に利き手に対応して配置可能にすることを特徴とする携帯型遠近知覚測定装置。
【請求項８】
請求項１記載の携帯型遠近知覚測定装置において、前記応答部における応答のたびに、視標の向きを変化させる視標変更手段を具備することを特徴とする携帯型遠近知覚測定装置。
【発明の詳細な説明】
【技術分野】
【０００１】
本発明は、携帯型遠近知覚測定装置に係り、特に、作業現場において眼の疲労度を評価判定するための、両眼視による遠近輻輳調節時間を測定する装置に関するものである。
【背景技術】
【０００２】
一つの対象物を一つのものとして見るには、両眼の輻輳作用が必要になる。
【０００３】
近年、ＶＤＴ（Ｖｉｓｕａｌ  Ｄｉｓｐｌａｙ  Ｔｅｒｍｉｎａｌ）作業〔コンピュータの表示装置（ディスプレイなど）を使用した作業〕が日常作業の多くを占めるようになったが、このような作業を行う場合、視距離をほぼ１日中同じ距離に保つ、すなわち、眼筋や瞳孔径を継続的に同じ状態に保つことになり、その結果として筋肉疲労等が起こるため、それ以上の筋収縮や縮瞳などをなし難い状況になると思われる。
【０００４】
そこで、このような状況において、遠点または近点への輻輳調節の完了に要する時間を測定し、それが作業によってどのように変化するかをみることで、眼精疲労度の判定の資料とすることができる。
【特許文献１】なし
【発明の開示】
【発明が解決しようとする課題】
【０００５】
しかしながら、上記した眼精疲労度の判定装置で、携帯できるような手軽なものは現在のところ提供されていないというのが現状である。
【０００６】
本発明は、上記状況に鑑みて、作業現場でリアルタイムに精確な眼精疲労度の判定を行うことができる携帯型遠近知覚測定装置を提供することを目的とする。
【課題を解決するための手段】
【０００７】
本発明は、上記目的を達成するために、
〔１〕携帯型遠近知覚測定装置において、接眼部、刺激発生部と距離・反応時間計測部とを有する本体と、この本体の側部に配置される応答部と、前記本体及び応答部に接続される電源と、この電源に接続されるとともに、前記本体からの情報と応答部からの情報を処理する制御装置とからなる。
【０００８】
〔２〕上記〔１〕記載の携帯型遠近知覚測定装置において、前記刺激発生部は近点視標装置と遠点視標装置とを具備することを特徴とする。
【０００９】
〔３〕上記〔２〕記載の携帯型遠近知覚測定装置において、前記近点視標装置と遠点視標装置はそれぞれ照明用ランプを具備することを特徴とする。
【００１０】
〔４〕上記〔１〕記載の携帯型遠近知覚測定装置において、前記距離・反応時間計測部はエンドレスベルト上に固定される近点視標装置と遠点視標装置との移動距離と、視標の近点と遠点に関する反応時間を計測することを特徴とする。
【００１１】
〔５〕上記〔１〕記載の携帯型遠近知覚測定装置において、前記遠点視標装置はハーフミラーと反射ミラーと屈折率変更レンズを介し、前記近点視標装置と平行して配置されることを特徴とする。
【００１２】
〔６〕上記〔４〕記載の携帯型遠近知覚測定装置において、前記エンドレスベルトを速度が制御可能なモータによって駆動することを特徴とする。
【００１３】
〔７〕上記〔１〕記載の携帯型遠近知覚測定装置において、前記応答部は本体の左又は右に利き手に対応して配置可能にすることを特徴とする。
【００１４】
〔８〕上記〔１〕記載の携帯型遠近知覚測定装置において、前記応答部における応答のたびに視標の向きを変化させる視標変更手段を具備することを特徴とする。
【発明の効果】
【００１５】
本発明によれば、次のような効果を奏することができる。
【００１６】
（１）携帯型であり作業現場でリアルタイムに眼精疲労度の判定を行うことができる。
【００１７】
（２）近点距離を連続的に精度よく測定することができる。
【００１８】
（３）遠点・近点調節（緊張および弛緩）時間の測定ができる。
【００１９】
（４）遠点および近点視標の位置を自動的にデジタルで読み取ることができる。
【００２０】
（５）従来の装置と異なり、視標のランドルト環の向きに合わせてジョイスティックを倒すことで応答する。
【００２１】
（６）従来の装置と異なり、応答するたびに視標のランドルト環の向きを変えることができる。
【００２２】
（７）ジョイスティックは駆動部の左右どちらにも装着可能であり、利き手で測定することができる。
【００２３】
（８）上記（５）と（６）と（７）により、測定の信頼性が高まるので、誤答数（精度）及び応答時間からの疲労判定も可能である。
【発明を実施するための最良の形態】
【００２４】
携帯型遠近知覚測定装置において、接眼部、刺激発生部と距離・反応時間計測部とを有する本体と、この本体の側部に配置される応答部と、前記本体及び応答部に接続される電源と、この電源に接続されるとともに、前記本体からの情報と応答部からの情報を処理する制御装置とからなる。よって、携帯型であり作業現場でのリアルタイムに視覚疲労判定を行うことができる。
【実施例】
【００２５】
以下、本発明の実施の形態について詳細に説明する。
【００２６】
図１は本発明の携帯型遠近知覚測定装置の全体模式図、図２はそのピント合わせの原理を示す図、図３はその全体ユニットを示す模式図である。
【００２７】
図１において、１は携帯型遠近知覚測定装置本体のケース、２はその接眼フードを有する接眼部、３はハーフミラー、４は近点視標装置、５はその近点視標（ランドルト環）、６はランプ、７はエンドレスベルト、８はエンドレスベルト７の駆動用モータ、９は全反射ミラー、１０は屈折率変更レンズ、１１は遠点視標装置、１２はその遠点視標（ランドルト環）、１３はランプ、１４はエンドレスベルト、１５はエンドレスベルト１４の駆動用モータである。近点視標装置４のランプ６と遠点視標装置１１のランプ１３は制御装置２４に接続されて、点滅が制御できるように構成されている。また、エンドレスベルト７の駆動用モータ８とエンドレスベルト１４の駆動用モータ１５は制御装置２４に接続されて、近点視標装置４と遠点視標装置１１の移動制御が可能に構成され、さらに、近点視標（ランドルト環）５と遠点視標（ランドルト環）６も制御装置２４に接続されており、ランドルト環の向き制御できるように構成されている。
【００２８】
図３において、２１は携帯型遠近知覚測定装置本体のケース１の側部に配置される応答スイッチ部（左右何れの位置に配置してもよい）、２２はその指示スイッチ（ジョイスティック）、２３は電源本体（ＡＣアダプター）、２４は制御装置である。なお、制御装置２４又は電源本体２３は携帯型遠近知覚測定装置本体のケース１内に内蔵させるようにすることもできる。
【００２９】
なお、図２から明らかなように、遠点視標は、屈折率変更レンズを用いて、疑似的に遠距離にあるように見せている。
【００３０】
本発明の携帯型遠近知覚測定装置は、被験者がケース１の接眼部２から覗いて、例えば、近点視標装置４の近点視標５を見ると、その近点視標５のランドルフ環の切れ目がどの方向にあるかを指示スイッチ（ジョイスティック）２２を操作して回答できるようになっている。その際には、遠点視標装置１１のランプ１３は点灯してないため、遠点視標１２は見えないようになっている。
【００３１】
近点視標５は、その背後からランプ６によって照らされ、ランプ６の点灯時のみ被験者はその近点視標５を識別することができる。
【００３２】
同様に、遠点視標装置１１には、遠点視標１２が設けられ、その背後からランプ１３によって遠点視標１２が照らされ、被験者はランプ１３が点灯している時にその遠点視標１２を識別することができる。
【００３３】
また、近点視標装置４はエンドレスベルト７に固定されおり、そのエンドレスベルト７は駆動用モータ８によって駆動され、詳細は後述するが、連続して近点の負荷測定が可能なように構成されている。
【００３４】
同様に、遠点視標装置１１はエンドレスベルト１４に固定されおり、そのエンドレスベルト１４は駆動用モータ１５によって駆動され、遠点視標の距離の調整が可能なように構成されている。
【００３５】
ここで、近点距離（眼の最大屈折力）について説明すると、視標がぼけずに良く見える最も近い位置が近点である。この近点距離を測定するために、まずランプ６を点灯して駆動用モータ８の駆動により近点視標５を一定の速度で前進させる。近点視標５がぼけたとき、被験者が指示スイッチ２２を入れると、ランプ６が消灯して、近点視標５は最後部まで後退する。そして、再びランプ６が点灯して駆動用モータ８の駆動により近点視標５は一定の速度で前進を開始する。これを何度が繰り返すことで連続して近点の負荷測定ができる。このとき、視標の戻り速度を例えば前進速度の２倍とすれば、復帰時間の短縮を図り、測定効率の向上を図ることができる。
【００３６】
次に、眼調節時間について説明する。
【００３７】
両眼で一つの対象物を一つのものとして見るには、両眼の輻輳作用が必要となる。また、遠方に呈示された刺激を認知している状態で、より近距離に対象物を呈示された場合には、その対象物を明瞭に認知するまでに時間を要することになる。調節諸機能が弛緩状態から緊張するまでの時間である。
【００３８】
そこで、この眼調節時間を測定するために、まず、被験者から遠距離にある遠点視標（ランドルト環）１２を呈示し、被験者はランドルト環の切れている方向に指示スイッチ（ジョイスティック）２２を入れる。瞬時にハーフミラー３と点灯するランプの切り替えにより、近点視標５が呈示されるのでランドルト環の切れている方向が確認でき次第、被験者はその方向に指示スイッチ（ジョイスティック）２２を入れる。すると、再び瞬時に遠点視標（ランドルト環）１２に切り替わる。これを何度か繰り返すことにより連続して調節時間の測定ができる。
【００３９】
ここで、近点視標はｍｍ単位、遠点視標はｃｍ単位で調整でき、表示装置（出力装置）２６にデジタル表示される。また、測定回数及び測定間隔時間はデジタルスイッチ（入力装置）２５で設定できるようになっている。そして、測定した調節時間及び遠近それぞれの測定回数は表示装置（出力装置）２６でデジタル表示されると同時にプリンタ（出力装置）２７でプリントアウトされる。また、被験者が応答するたびに制御装置２４により視標（ランドルト環）５，１２の方向を変換するが、そのときのランドルト環５，１２の方向および遠近の別はパネル（出力装置）２６に表示される。ランドルト環５，１２の向きと違った方向に指示スイッチ２２が反応するとカウントされ、遠近それぞれの誤答数が表示装置（出力装置）２６でデジタル表示される。
【００４０】
このように、本発明の携帯型遠近知覚測定装置は、測定データのデジタル表示、視標方向の正答、誤答のチェックの自動化、すべての設定条件や測定値のデータの出力ができるようになっている。また、フィールド測定用として小型軽量セパレート型の電源本体（ＡＣアダプター）２３でバッテリー駆動できる。
【００４１】
〔具体例〕
本発明の携帯型遠近知覚測定装置における視標の移動距離は、近点は接眼部から５〜４０ｃｍ、遠点は４０〜５００ｃｍとする。また、上記のように視標の移動方法はモータ駆動により自動的に行い、視標の移動速度は接近の際は２．５ｃｍ／秒、戻りの際は５ｃｍ／秒とし、測定は右眼・左眼・両眼について行う。
【００４２】
被験者の回答情報は、制御装置５に取り込まれて記憶される。
【００４３】
この携帯型遠近知覚測定装置は、コンパクトであり、現場において手軽に眼の疲労度を評価判定することができる。
【００４４】
なお、本発明は上記実施例に限定されるものではなく、本発明の趣旨に基づき種々の変形が可能であり、これらを本発明の範囲から排除するものではない。
【産業上の利用可能性】
【００４５】
本発明の携帯型遠近知覚測定装置は、現場において手軽に眼の疲労度を評価する測定を行う装置として利用可能である。
【図面の簡単な説明】
【００４６】
【図１】本発明の携帯型遠近知覚測定装置の全体模式図である。
【図２】本発明の携帯型遠近知覚測定装置のピント合わせの原理を示す図である。
【図３】本発明の携帯型遠近知覚測定装置の全体ユニットを示す模式図である。
【符号の説明】
【００４７】
１    携帯型遠近知覚測定装置本体のケース
２    接眼フードを有する接眼部
３    ハーフミラー
４    近点視標装置
５    近点視標（ランドルト環）
６，１３    ランプ
７，１４    エンドレスベルト
８，１５    モータ
９    全反射ミラー
１０    屈折率変更レンズ
１１    遠点視標装置
１２    遠点視標（ランドルト環）
２１    応答スイッチ部（左右何れの位置にも配置可能）
２２    指示スイッチ（ジョイスティック）
２３    電源本体（ＡＣアダプター）
２４    制御装置
２５    デジタルスイッチ（入力装置）
２６    表示装置
２７    プリンタ（出力装置）
【図１】
2006158434.tif 000003
【図２】
2006158434.tif 000004
【図３】
2006158434.tif 000005